(57)【要約】【課題】きわめて簡単な構成で、携帯型通信器（例えば携帯電話）を身につけていなくても、その着信信号を確実に確認できる技術を提供しようとする。【解決手段】携帯型通信器２に接続され、かつ該携帯型通信器２が通信信号を受信すると微弱電波で報知信号を発信する発信器１ａと、携帯型オーディオ装置３に着脱自在に取り付けられ、前記発信器１ａから発信された報知信号を受信し、かつその報知信号を音声信号として前記携帯型オーディオ装置３に出力する受信器１ｂとから構成される。【選択図】図１
0003123540.tif 000002
【実用新案登録請求の範囲】
【請求項１】
携帯型通信器に接続され、かつ該携帯型通信器が通信信号を受信すると微弱電波で報知信号を発信する発信器と、
携帯型オーディオ装置に着脱自在に取り付けられ、前記発信器から発信された報知信号を受信し、かつその報知信号を音声信号として前記携帯型オーディオ装置に出力する受信器と、からなることを特徴とする携帯型通信器の着信確認装置。  
【考案の詳細な説明】
【技術分野】
【０００１】
この考案は、携帯電話等の着信を確実に知ることのできる装置に関する。
【背景技術】
【０００２】
携帯電話やＰＨＳのような携帯型通信器には、いわゆるマナーモードとして、振動によって着信を知らせる機能（バイブ機能）が備えられるのが一般的である。
【０００３】
しかし、携帯型通信器を鞄等に入れていると（特に女性が多い）、着信音はもちろんマナーモード時の振動にも気づかないことも多く、特に携帯型オーディオ装置（音楽記録媒体再生装置やラジオ等）をヘッドホン等で聞いていたりすると、まったく気づかないことになる。
【０００４】
このような問題に対しては、従来より種々の技術が提案されている。その一が特開２００２−１６６７０号（特許文献１）であるが、これは、携帯型通信器に取り付けられる、着信時に微弱電波を発信させる器具と、その微弱電波を受信して着信を報知する小型の子器とからなる装置であり、その子器を常に身につけるようにすることで、携帯型通信器が鞄等に入っていても、その着信を子器から気づくことになるというものである。
【０００５】
その二は、実用新案登録３０７０８７８号（特許文献２）であり、これは携帯型通信器と携帯型オーディオ装置の両方が有線で接続される装置であって、両装置から音信号を入力自在とする一方で、携帯型通信器から着信入力があった場合は、その着信音を優先させて出力させる機能を備えた切替装置というものであり、携帯型オーディオ装置の利用者は、その切替装置にイヤホンを接続していれば、着信がない限り携帯型オーディオ装置の音楽等を聴くことできる一方、着信があった場合は、着信音が優先して聞こえてくるので、音楽等を聴いていても着信が間違いなく確認できるというものである。特に、この技術は、携帯型オーディオ装置を利用するのが一般的となっている近時の傾向にマッチングした技術となっており、利用度の高いものとなっている。
【特許文献１】特開２００２−１６６７０号（図２、図３）
【特許文献２】実用新案登録３０７０８７８号（図１、図４）
【考案の開示】
【考案が解決しようとする課題】
【０００６】
特許文献１では、子器に振動等の機能を付与すれば、仮に携帯型オーディオ装置を聴いている場合であっても、その子器を身につけていれば、着信を確実に確認できるものとなるが、その一方、微弱電波を受ける子器を常に携帯しなければ着信に気づくことができないので、もともと余計な物を身につけたくないと思う者にとっては効果的な構成とならず（それなら携帯型通信器自体を身につければいいはずだから）、実用性がほとんどない。子器をブローチ等のアクセサリとする態様も提案されているが、アクセサリは個人の趣味嗜好によるので、デザイン等が気に入らなければ積極的に利用しようとすることも難しいといえる。
【０００７】
他方、特許文献２では、携帯型オーディオ装置の音楽を聴いている限り、間違いなく着信を確認できるというメリットがあるものの、携帯型通信器、携帯型オーディオ装置、切替装置の３つの機器が有線で接続されているので、装置がかさばるという問題がある。すなわち、この技術の利用者は、有線で接続された前記３つの機器を持ち運ぶ必要があり、仮にそれらをまとめて鞄に入れるとしても、３つの機器の配線が入り組んで、イヤホンを取り出す際、また音量を調節する際、さらには機器を取り出す際等に接続線がからまったり、外れたりして、取り扱いがきわめて煩雑となる。
【０００８】
もっとも、特許文献１の技術を利用して、携帯型通信器と切替装置との間を無線で結べば上記問題は解消され得るが、しかしそれでも特許文献２の技術では、携帯型通信器及び携帯型オーディオ装置からの信号の両方を切替装置に入力させたうえ、携帯型通信器の着信信号を優先させる制御機構となっていることから、機構が複雑となり、またその分コストも高くなる。また、切替装置への入力機構により、そこにイヤホンが接続される構成となるため、切替装置から延びるコードが携帯型オーディオ装置からのものとイヤホンの２本となって、それらが相互に絡んだり、さらに他の物に引っかかりやすいという問題が生じる。
【０００９】
この考案は、従来技術の以上のような問題に鑑み創案されたもので、きわめて簡単な構成で、携帯型通信器を身につけていなくても、その着信信号を確実に確認できる技術を提供しようとするものである。
【課題を解決するための手段】
【００１０】
このため、この考案に係る携帯型通信器の着信確認装置は、携帯型通信器に接続され、該携帯型通信器が通信信号を受信すると微弱電波で報知信号を発信する発信器と、携帯型オーディオ装置に着脱自在に取り付けられ、前記発信器から発信された報知信号を受信し、かつその報知信号を音声信号として前記携帯型オーディオ装置に出力する受信器と、からなることを特徴とする。
【００１１】
本願において、携帯型通信器とは、携帯電話、ＰＨＳ等いわゆるモバイル型通信器をいう。また、携帯型オーディオ装置とは、携帯型音楽記録媒体（カセットテープ、ＭＤ、ＣＤ、ＨＤ等）再生装置、携帯ラジオ等をいう。また、着脱自在に取り付けるとは、携帯型オーディオ装置のいずかの部分（全体でも良い）と形状的に嵌合するような状態で取り付けることをいい、取り付け後は携帯型オーディオ装置と物理的に一体化するような取り付け方をいう。
【００１２】
本考案では、携帯型通信器に発信器が接続され、一方携帯型オーディオ装置に受信器が着脱自在に取り付けられる。その状態で、携帯型通信器が通信信号を受信（いわゆる着信）すると、そこに接続される発信器から報知信号が微弱電波で発信される。すると、その報知信号を、携帯型オーディオ装置に取り付けられた受信器が受信し、音声信号（報知信号が音声信号の場合はそのまま）として携帯型オーディオ装置に出力するので、携帯型オーディオ装置をイヤホン等で聴いている利用者は、報知信号である音声信号を直ちに聞くことになり、これによって携帯型通信機に着信のあることが確認できる。
【考案の効果】
【００１３】
以上のように、この考案によれば、携帯型通信器に着信があった場合、発信器からの報知信号が受信器を介して携帯型オーディオ装置に出力されるので、携帯型オーディオ装置を聴いていれば、報知信号としての音声信号を直ちに聞くことができ、すぐに携帯型通信器に着信があったことがわかる。
【００１４】
そのような有用な効果が認められる一方で、受信器は携帯型オーディオ装置に着脱自在に取り付けられ、かつ着信を知らせる報知情報は微弱電波で送受信されるので、有線がほとんど不要となって（態様によってはまったく不要となる）装置機構がすっきりし、従来のようにコードがからまったりしないことはもちろん、前記受信器が携帯型オーディオ装置と一体となるので取り扱いやすく、鞄等に入れて操作しても何の煩雑さも生じない。
【００１５】
また、受信器は発信器からの報知信号を受信する機能と、その報知信号を音声信号として出力する機能を備えるだけで足りるので、その機構もきわめてシンプルでコストも低廉で済み、しかも、音声信号としての報知信号は携帯型オーディオ装置から出力されるので、イヤホン等も携帯型オーディオ装置に接続すれば足りることになって、その点でも装置構成が簡易化することになる。
【考案を実施するための最良の形態】
【００１６】
本考案の具体的実施形態例を図面に基づき説明する。なお、以下の形態例はあくまで一例であり、本考案が本形態例に限定されるものでないことは当然である。
【００１７】
図１は本形態例が適用される概要である。図中、1aは発信器、1bは受信器である子器、２は携帯型通信器である携帯電話、３は携帯型オーディオ装置であるミニＨＤ型音楽再生装置、４はイヤホン、５は携帯電話会社基地局を各示す。
【００１８】
本考案に係る着信確認装置の具体例は、発信器1aと子器1bとから構成される。そのうち、発信器1aは、音声信号入力部と、微弱電波発信部と、微弱電波発信スイッチ制御部とから構成され、音声信号入力部からはコードが延出されて、その端部は携帯電話２のイヤホン端子に接続される。前記微弱電波発信スイッチ制御部は、音声信号が音声信号入力部に入力された時、それを開始キーとして微弱電波発信部から報知信号を発信させるスイッチ制御を行う。これにより、携帯電話２に着信音が発生した時、報知信号は微弱電波で発信される。なお、この形態例では、発信器1aが有線のコードで接続されるが、これは次段で説明する子器1bのように着脱自在に取り付けられる態様でももちろん良い。
【００１９】
子器1bは、微弱電波受信部と、音声信号出力部のみから構成される。弱電波受信部は、前記発信器1aから発信される微弱電波信号を受信する。音声信号出力部は、受信した微弱電波信号が報知信号であるときそれを音声信号として出力部から出力する。該出力部の端部にはジャックが形成され、該ジャックはミニＨＤ型音楽再生装置３の入力端子（この装置３では底部）に着脱可能な嵌合形状に形成されており、図示のようにそのジャックがミニＨＤ型音楽再生装置３の入力端子に取り付けられると、物理的に一体化する。これにより、前記発信器1aから報知信号が発信されると、微弱電波受信部でそれを受信し、それを音声信号（なお、音として問題なければ報知信号のままでも良い）として音声信号出力部からジャックを通してミニＨＤ型音楽再生装置３の入力端子へ出力することになる。なお、前記発信器1aと子器1bの電源は、それぞれの装置内に電池収納部を設けてそこの電池から取る形態でも良いが、それぞれ接続される装置２，３から取得するようにしても良い。その態様の場合、形態がさらにコンパクトになるメリットがある。
【００２０】
本形態例は以上よりなるので、携帯電話２に着信があると（基地５からの電波を受信すると）、その着信音を受けて発信器1aから微弱電波の報知信号が発信され、その報知信号を子器1bが受けてそれを音声信号としてミニＨＤ型音楽再生装置３へ出力し、ミニＨＤ型音楽再生装置３ではその音声信号が流れる。したがって、ミニＨＤ型音楽再生装置３をイヤホン４で聴いている利用者は、その音声信号を聞くことで、直ちに携帯電話２に着信があったことに気づくことになる。
【産業上の利用可能性】
【００２１】
この考案は、携帯電話等の携帯型通信器のアタッチメントとして利用可能である。
【図面の簡単な説明】
【００２２】
【図１】本考案に係る一実施形態例を示し、装置が利用される概要図である。
【符号の説明】
【００２３】
1a        発信器
1b        受信器である子器
２        携帯型通信器である携帯電話
３        携帯型オーディオ装置であるミニＨＤ型音楽再生装置
４        イヤホン
５        携帯電話会社基地局
【図１】
0003123540.tif 000003